(57)【特許請求の範囲】
【請求項１】
話を単位とする連載ものの電子書籍を複数の話にわたって連続して閲覧する機能を有した表示装置であって、
電子書籍データから話の区切りを検出する手段と、
検出した区切りにおける前の話の最終ページもしくは最終コマの第１の画像を取得する手段と、
検出した区切りにおける後の話の第１ページもしくは第１コマの第２の画像を取得する手段と、
第１の画像と第２の画像の同一性を判断する手段と、
第１の画像と第２の画像に同一性があると判断された場合に、第１の画像もしくは第２の画像のいずれか一方を１ページずつもしくは１コマずつ順に閲覧する閲覧動作に際して非表示に設定する手段と
を備えることを特徴とする表示装置。
【請求項２】
請求項１に記載の表示装置において、
前記画像を非表示に設定する処理を、電子書籍の閲覧開始前に一括して行うことを特徴とする表示装置。
【請求項３】
請求項１に記載の表示装置において、
前記画像を非表示に設定する処理を、電子書籍の閲覧時に、話の区切りに到達する時点で行うことを特徴とする表示装置。
【請求項４】
話を単位とする連載ものの電子書籍を複数の話にわたって連続して閲覧する機能を有した表示装置の制御方法であって、
電子書籍データから話の区切りを検出する工程と、
検出した区切りにおける前の話の最終ページもしくは最終コマの第１の画像を取得する工程と、
検出した区切りにおける後の話の第１ページもしくは第１コマの第２の画像を取得する工程と、
第１の画像と第２の画像の同一性を判断する工程と、
第１の画像と第２の画像に同一性があると判断された場合に、第１の画像もしくは第２の画像のいずれか一方を１ページずつもしくは１コマずつ順に閲覧する閲覧動作に際して非表示に設定する工程と
を備えることを特徴とする電子書籍閲覧制御方法。
【請求項５】
請求項４に記載の電子書籍閲覧制御方法において、
前記画像を非表示に設定する処理を、電子書籍の閲覧開始前に一括して行うことを特徴とする電子書籍閲覧制御方法。
【請求項６】
請求項４に記載の電子書籍閲覧制御方法において、
前記画像を非表示に設定する処理を、電子書籍の閲覧時に、話の区切りに到達する時点で行うことを特徴とする電子書籍閲覧制御方法。
【発明の詳細な説明】
【技術分野】
【０００１】
本発明は、電子書籍を閲覧する機能を有する表示装置に関する。
【背景技術】
【０００２】
１９９０年後半から、それまでアイデアでしかなかった電子書籍が実用化され、現在では専用端末が発売されるほど電子書籍は世の中に普及している。当初はテキストファイルによるコンテンツの提供のみであったが、現在では漫画や雑誌、写真集なども販売されており、更に連載漫画についても電子化されるに至っている（例えば、特許文献１参照。）。
【特許文献１】特開平７−２３０４７３号公報
【発明の開示】
【発明が解決しようとする課題】
【０００３】
連載漫画は定期的に発行される雑誌内の数ページから数十ページを占め、雑誌の各話ごとに徐々にストーリーが展開していく特徴を持ったものが多い。そういった連載漫画の性質上、前回のおさらいや話の流れを調整するために、第１ページや第１コマを前回の最後のページやコマと同じまたはほぼ同じにするケースが少なくない。
【０００４】
雑誌で漫画を連載する上でおさらいや話の流れの調整は必要であるが、単行本などのように連載をまとめて閲覧する場合、重複が生じてしまい、閲覧者にとって無駄な閲覧が生じる上に、話間の隔てを意識させてしまい、話の流れを切ってしまうことになる。
【０００５】
また、連載もの漫画をスキャナで取り込んで画像化した電子漫画の場合、紙ベースの単行本と同様、話と話の間に余分なページができてしまうケースがある。ページごとに漫画を閲覧していく電子漫画において、この余分なページは話の流れを途切れさせてしまい、閲覧者に煩わしい思いをさせてしまう。
【０００６】
なお、電子化された連載もの漫画について問題点を説明したが、他の連載ものの電子書籍についても同様の問題点が想定し得る。
【０００７】
本発明は上記の従来の問題点に鑑み提案されたものであり、その目的とするところは、電子書籍の閲覧に際し、重複するページや余分なページ等の無駄な表示の閲覧をなくすことのできる表示装置を提供することにある。
【課題を解決するための手段】
【０００８】
本発明の一実施形態では、話を単位とする連載ものの電子書籍を複数の話にわたって連続して閲覧する機能を有した表示装置であって、電子書籍データから話の区切りを検出する手段と、検出した区切りにおける前の話の最終ページもしくは最終コマの第１の画像を取得する手段と、検出した区切りにおける後の話の第１ページもしくは第１コマの第２の画像を取得する手段と、第１の画像と第２の画像の同一性を判断する手段と、第１の画像と第２の画像に同一性があると判断された場合に、第１の画像もしくは第２の画像のいずれか一方を１ページずつもしくは１コマずつ順に閲覧する閲覧動作に際して非表示に設定する手段とを備える。
【００１０】
好ましくは、前記画像を非表示に設定する処理を、電子書籍の閲覧開始前に一括して行う。
【００１１】
好ましくは、前記画像を非表示に設定する処理を、電子書籍の閲覧時に、話の区切りに到達する時点で行う。
【発明の効果】
【００１２】
本発明の表示装置にあっては、電子書籍の閲覧に際し、重複するページや余分なページ等の無駄な表示の閲覧をなくすことができ、話の流れを途切れさせずにシームレスな閲覧を行うことができる。
【発明を実施するための最良の形態】
【００１３】
以下、本発明の好適な実施形態につき説明する。
【００１４】
＜構成＞
図１は表示装置の一例として情報端末に適用した場合の実施形態の構成例を示す図である。
【００１５】
図１において、情報端末１は、ＣＰＵ（Central Processing Unit）、ＲＯＭ（Read Only
Memory）、ＲＡＭ（Random Access Memory）等から構成され、情報端末１の全体的な制御を行う制御部１１と、ボタンスイッチ等から構成され、ユーザが閲覧アプリ（閲覧アプリケーション）の起動やページめくりなどの操作を行う操作部１２と、ＬＣＤ（Liquid Crystal Display）等から構成され、電子書籍の内容を表示する表示部１３と、ＨＤＤ（Hard Disk Drive）、フラッシュメモリ等から構成され、各種のプログラムおよびデータを保持する記憶部１４と、電子書籍のページやコマの画像比較を行い、省略すべきかどうかの判定を行う画像比較部１５とを備えている。なお、画像比較部１５によるコマの比較は、ページ単位の閲覧時ではなく、１コマ表示モードの時に限られる。
【００１６】
記憶部１４には、制御部１１の基本的な処理を動作させるための制御プログラム１４１と、制御部１１による電子書籍の閲覧のための処理を動作させる閲覧アプリプログラム１４２と、画像比較部１５における処理を動作させるための比較アプリプログラム１４３と、閲覧対象となる電子書籍データ１４４とを含んでいる。なお、比較アプリプログラム１４３は閲覧アプリプログラム１４２に包含されるものとしてもよい。
【００１７】
図２〜図４は記憶部１４に保持される電子書籍データ１４４の例を示す図であり、図２は１巻（単行本）単位で管理される場合、図３は１話単位で管理される場合、図４は１ページ単位で管理される場合を示している。
【００１８】
図２において、電子書籍データ１４４は１もしくは複数の書籍タイトルデータからなり、書籍タイトルデータは、書籍のタイトルを示す「タイトル」と、巻の番号を示す「巻番号」と、巻の中の話番号とページ番号と対応画像（リファレンス）を対応付ける「画像管理テーブル」と、画像データ本体の「画像データ」とを含んでいる。画像管理テーブルの話番号はフラグ情報を伴っており、巻の中の最終話であることを示す最終話フラグ「★」がある。また、ページ番号もフラグ情報を伴っており、話の中の第１ページであることを示す第１ページフラグ「＄」と、話の中の最終ページであることを示す最終ページフラグ「＃」と、ページを非表示にすることを示すスキップフラグがある。スキップフラグは当初のデータには含まれず、後の処理により付加される。また、１コマ表示モードに対応する場合には、画像管理テーブルのページ番号および対応画像の下位に、更にコマ番号および対応画像（コマ画像のリファレンス）が付加される。コマ番号もフラグ情報を伴っており、ページの中の第１コマであることを示す第１コマフラグと、ページの中の最終コマであることを示す最終コマフラグと、当該コマを非表示にすることを示すスキップフラグがある。
【００１９】
図３において、電子書籍データ１４４は１もしくは複数の話データからなり、話データは、話のタイトルを示す「タイトル」と、話の番号を示す「話番号」と、話の中のページ番号と対応画像（リファレンス）を対応付ける「画像管理テーブル」と、画像データ本体の「画像データ」とを含んでいる。話番号はフラグ情報を伴っており、巻の中の最終話であることを示す最終話フラグがある。画像管理テーブルのページ番号もフラグ情報を伴っており、話の中の第１ページであることを示す第１ページフラグ「＄」と、話の中の最終ページであることを示す最終ページフラグ「＃」と、ページを非表示にすることを示すスキップフラグがある。スキップフラグは当初のデータには含まれず、後の処理により付加される。また、１コマ表示モードに対応する場合には、画像管理テーブルのページ番号および対応画像の下位に、更にコマ番号および対応画像（コマ画像のリファレンス）が付加される。コマ番号もフラグ情報を伴っており、ページの中の第１コマであることを示す第１コマフラグと、ページの中の最終コマであることを示す最終コマフラグと、当該コマを非表示にすることを示すスキップフラグがある。
【００２０】
図４において、電子書籍データ１４４は１もしくは複数のページデータからなり、ページデータは、ページが属する話のタイトルを示す「タイトル」と、ページが属する話の番号を示す「話番号」と、話の中のページ番号を示す「ページ番号」と、画像データ本体の「画像データ」とを含んでいる。話番号はフラグ情報を伴っており、巻の中の最終話であることを示す最終話フラグがある。ページ番号もフラグ情報を伴っており、話の中の第１ページであることを示す第１ページフラグ「＄」と、話の中の最終ページであることを示す最終ページフラグ「＃」がある。この例では、ページデータの中に管理テーブルは設けられておらず、ページデータを読み込んだ上で、制御部１１側で話番号とページ番号と対応画像（リファレンス）を対応付ける画像管理テーブルを作成する。制御部１１側の画像管理テーブルでは、ページ番号にページを非表示にすることを示すスキップフラグが必要に応じて付加される。また、１コマ表示モードに対応する場合には、ページデータのページ番号の下位にコマ番号が付加され、制御部１１側の画像管理テーブルのページ番号および対応画像の下位に、コマ番号および対応画像（コマ画像のリファレンス）が付加される。コマ番号もフラグ情報を伴っており、ページの中の第１コマであることを示す第１コマフラグと、ページの中の最終コマであることを示す最終コマフラグと、当該コマを非表示にすることを示すスキップフラグがある。
【００２１】
＜動作＞
図５は重複するページもしくはコマの非表示化の処理を閲覧前に一括して行う処理例を示すフローチャートである。すなわち、閲覧アプリを起動し、電子書籍を開いた時に、各話間の重複を全てチェックし、表示の省略を行うようにしたものである。
【００２２】
図５において、ユーザが操作部１２により所定の操作を行うことで電子書籍の閲覧の処理を開始すると（ステップＳ１０１）、制御部１１は記憶部１４の閲覧アプリプログラム１４２による閲覧アプリを起動する（ステップＳ１０２）。
【００２３】
次いで、ユーザが操作部１２により読みたい電子書籍を選択し、制御部１１はその電子書籍を開く（ステップＳ１０３）。
【００２４】
次いで、制御部１１は変数Ｎに「１」を設定し（ステップＳ１０４）、第Ｎ話の最終ページ（またはコマ）の画像データＡを取得する（ステップＳ１０５）。すなわち、図２もしくは図４のデータ構造の場合、画像管理テーブルの話番号がＮのものを特定し、その下位のページでページ番号に最終ページフラグ「＃」があるものを特定することでページ番号を特定し、その対応画像から画像データを取得する。図３のデータ構造の場合、話データの話番号がＮのものを特定し、その画像管理テーブルから、ページ番号に最終ページフラグ「＃」があるものを特定することでページ番号を特定し、その対応画像から画像データを取得する。コマの画像データを取得する場合も同様に行われる。
【００２５】
次いで、制御部１１は第Ｎ＋１話の最初のページ（またはコマ）の画像データＢを取得する（ステップＳ１０６）。すなわち、図２もしくは図４のデータ構造の場合、画像管理テーブルの話番号がＮ＋１のものを特定し、その下位のページでページ番号に第１ページフラグ「＄」があるものを特定することでページ番号を特定し、その対応画像から画像データを取得する。図３のデータ構造の場合、話データの話番号がＮ＋１のものを特定し、その画像管理テーブルから、ページ番号に第１ページフラグ「＄」があるものを特定することでページ番号を特定し、その対応画像から画像データを取得する。コマの画像データを取得する場合も同様に行われる。
【００２６】
次いで、制御部１１は画像データＡと画像データＢを画像比較部１５により比較させ、類似条件を満たすか否か判断する（ステップＳ１０７）。画像比較には、画像マッチング等の既知の技術を用いることができる。
【００２７】
ここで、画像データＡと画像データＢが類似条件を満たす場合（ステップＳ１０７のＹＥＳ）、画像データＡまたは画像データＢのどちらかを非表示に設定する（ステップＳ１０８）。類似する画像データＡと画像データＢのどちらを非表示にするかは、固定で決めておいてもよいし（例えば、後の話を非表示）、ユーザ設定により事前に決めてもよい。また、非表示の設定は、画像管理テーブル（図２〜図４）の該当するページ番号にスキップフラグを設定することで行う。コマを非表示に設定する場合も同様に行われる。
【００２８】
画像データＡと画像データＢが類似条件を満たさない場合（ステップＳ１０７のＮＯ）、非表示化の処理（ステップＳ１０８）は行わない。
【００２９】
次いで、制御部１１は変数Ｎに「１」を加算し（ステップＳ１０９）、第Ｎ話が最終話であるか否か判断する（ステップＳ１１０）。この判断は図２もしくは図４のデータ構造の場合、画像管理テーブルの話番号に最終話フラグ「★」があるか否かで判断し、図３のデータ構造の場合、話データの話番号に最終話フラグがあるか否かで判断する。
【００３０】
ここで、第Ｎ話が最終話でない場合（ステップＳ１１０のＮＯ）、画像データの取得（ステップＳ１０５）に移行して同様の処理を繰り返す。また、第Ｎ話が最終話である場合（ステップＳ１１０のＹＥＳ）、話の間の全ての重複するページ（またはコマ）にスキップフラグが設定された状態になり、ユーザによる閲覧を開始する（ステップＳ１１１）。
【００３１】
ユーザによる閲覧に際し、閲覧アプリプログラム１４２に基づいて動作する制御部１１は、画像管理テーブル（図２〜図４）の該当するページ番号（またはコマ）にスキップフラグが設定されているか否か判断し、スキップフラグが設定されたページ（またはコマ）の表示は行わない。これにより、閲覧の連続性を担保することができる。
【００３２】
図６は重複するページもしくはコマの非表示化の処理を閲覧途中に行う処理例を示すフローチャートである。すなわち、電子書籍の閲覧中、本話の最終ページ（または最終コマ）にたどり着いた時に、随時次話の第１ページ（または第１コマ）との比較を行い、必要なら表示の省略を行うようにしたものである。
【００３３】
図６において、ユーザが操作部１２により所定の操作を行うことで電子書籍の閲覧の処理を開始すると（ステップＳ１２１）、制御部１１は記憶部１４の閲覧アプリプログラム１４２による閲覧アプリを起動する（ステップＳ１２２）。
【００３４】
次いで、ユーザが操作部１２により読みたい電子書籍を選択し、制御部１１はその電子書籍を開く（ステップＳ１２３）。そして、ユーザによる電子書籍の閲覧を開始する（ステップＳ１２４）。この状態では電子書籍の先頭ページ（またはコマ）が表示されている。
【００３５】
次いで、制御部１１は本話が最終話であるか否か判断する（ステップＳ１２５）。この判断は、図２もしくは図４のデータ構造の場合、画像管理テーブルの話番号に最終話フラグ「★」があるか否かで判断し、図３のデータ構造の場合、話データの話番号に最終話フラグがあるか否かで判断する。
【００３６】
ここで、本話が最終話である場合（ステップＳ１２５のＹＥＳ）、制御部１１は次のページ（またはコマ）に表示を進める（ステップＳ１２６）。最終話である場合にはページ（またはコマ）の重複を考慮する必要がないからである。
【００３７】
本話が最終話でない場合（ステップＳ１２５のＮＯ）、制御部１１は現在のページ（またはコマ）が本話の最終であるか否か判断する（ステップＳ１２７）。この判断は、画像管理テーブル（図２〜図４）のページ番号に最終ページフラグ「＃」（または最終コマフラグ）が設定されているか否かで行う。
【００３８】
ここで、現在のページ（またはコマ）が本話の最終でない場合（ステップＳ１２７のＮＯ）、制御部１１は次のページ（またはコマ）に表示を進める（ステップＳ１２６）。
【００３９】
現在のページ（またはコマ）が本話の最終である場合（ステップＳ１２７のＹＥＳ）、制御部１１は本話の最終ページ（またはコマ）の画像データＡを取得する（ステップＳ１２８）。すなわち、画像管理テーブル（図２〜図４）から現在のページに相当するページ番号を特定し、その対応画像から画像データを取得する。コマの画像データを取得する場合も同様に行われる。
【００４０】
次いで、制御部１１は次話の最初のページ（またはコマ）の画像データＢを取得する（ステップＳ１２９）。すなわち、図２もしくは図４のデータ構造の場合、画像管理テーブルの話番号が本話に「１」を加算したものを特定し、その下位のページでページ番号に第１ページフラグ「＄」があるものを特定することでページ番号を特定し、その対応画像から画像データを取得する。図３のデータ構造の場合、話データの話番号が本話に「１」を加算したものを特定し、その画像管理テーブルから、ページ番号に第１ページフラグ「＄」があるものを特定することでページ番号を特定し、その対応画像から画像データを取得する。コマの画像データを取得する場合も同様に行われる。
【００４１】
次いで、制御部１１は画像データＡと画像データＢを画像比較部１５により比較させ、類似条件を満たすか否か判断する（ステップＳ１３０）。画像比較には、画像マッチング等の既知の技術を用いることができる。
【００４２】
ここで、画像データＡと画像データＢが類似条件を満たす場合（ステップＳ１３０のＹＥＳ）、画像データＡまたは画像データＢのどちらかを非表示に設定する（ステップＳ１３１）。類似する画像データＡと画像データＢのどちらを非表示にするかは、固定で決めておいてもよいし（例えば、後の話を非表示）、ユーザ設定により事前に決めてもよい。また、非表示の設定は、画像管理テーブル（図２〜図４）の該当するページ番号にスキップフラグを設定することで行う。コマを非表示に設定する場合も同様に行われる。
【００４３】
画像データＡと画像データＢが類似条件を満たさない場合（ステップＳ１３０のＮＯ）、非表示化の処理（ステップＳ１３１）は行わない。
【００４４】
次いで、制御部１１は次のページ（またはコマ）に表示を進めるが（ステップＳ１２６）、スキップフラグが設定されているため、その更に次のページ（またはコマ）まで表示を進める。これにより、閲覧の連続性を担保することができる。これらの処理は閲覧が終了するまで繰り返される。
【００４５】
図７は余分なページの非表示化の処理を閲覧前に一括して行う処理例を示すフローチャートである。
【００４６】
図７において、ユーザが操作部１２により所定の操作を行うことで電子書籍の閲覧の処理を開始すると（ステップＳ２０１）、制御部１１は記憶部１４の閲覧アプリプログラム１４２による閲覧アプリを起動する（ステップＳ２０２）。
【００４７】
次いで、ユーザが操作部１２により読みたい電子書籍を選択し、制御部１１はその電子書籍を開く（ステップＳ２０３）。
【００４８】
次いで、制御部１１は変数Ｎに「１」を設定し（ステップＳ２０４）、Ｎ＋１話の第１ページを検出し、その１つ前のページの画像データを取得する（ステップＳ２０５）。すなわち、図２もしくは図４のデータ構造の場合、画像管理テーブルの話番号がＮ＋１のものを特定し、その下位のページでページ番号に第１ページフラグ「＄」があるものを特定することでページ番号を特定し、更にその前のページ番号（その話の中に前のページがない場合は前の話の最終ページのページ番号）を特定し、その対応画像から画像データを取得する。図３のデータ構造の場合、話データの話番号がＮ＋１のものを特定し、その画像管理テーブルから、ページ番号に第１ページフラグ「＄」があるものを特定し、更にその前のページ番号（その話の中に前のページがない場合は前の話の最終ページのページ番号）を特定し、その対応画像から画像データを取得する。なお、第１ページフラグが存在しない場合は、例えば、その話のタイトルのあるページを第１ページとみなすなどの手法がある。
【００４９】
次いで、制御部１１は取得したページが余分なページであるか否か判断する（ステップＳ２０６）。これは、例えば、そのページに描画があり、その描画がそのページの広範囲に渡るものであれば正規のページであり、そうでないものは余分なページとしてみなすなどの手法がある。
【００５０】
ここで、余分なページでない場合（ステップＳ２０６のＮＯ）、制御部１１は変数Ｎに「１」を加算し（ステップＳ２０７）、画像データの取得（ステップＳ２０５）に移行する。
【００５１】
余分なページである場合（ステップＳ２０６のＹＥＳ）、制御部１１は余分なページを非表示に設定する（ステップＳ２０８）。これは、画像管理テーブル（図２〜図４）の該当するページ番号にスキップフラグを設定することで行う。
【００５２】
次いで、制御部１１は第Ｎ話が最終話であるか否か判断する（ステップＳ２０９）。この判断は図２もしくは図４のデータ構造の場合、画像管理テーブルの話番号に最終話フラグ「★」があるか否かで判断し、図３のデータ構造の場合、話データの話番号に最終話フラグがあるか否かで判断する。
【００５３】
ここで、第Ｎ話が最終話でない場合（ステップＳ２０９のＮＯ）、制御部１１は変数Ｎに「１」を加算し（ステップＳ２０７）、画像データの取得（ステップＳ２０５）に移行する。
【００５４】
第Ｎ話が最終話である場合（ステップＳ２０９のＹＥＳ）、話の間の全ての余分なページにスキップフラグが設定された状態になり、ユーザによる閲覧を開始する（ステップＳ２１０）。
【００５５】
ユーザによる閲覧に際し、閲覧アプリプログラム１４２に基づいて動作する制御部１１は、画像管理テーブル（図２〜図４）の該当するページ番号にスキップフラグが設定されているか否か判断し、スキップフラグが付加されたページの表示は行わない。これにより、閲覧の連続性を担保することができる。
【００５６】
図８は余分なページの非表示化の処理を閲覧途中に行う処理例を示すフローチャートである。
【００５７】
図８において、ユーザが操作部１２により所定の操作を行うことで電子書籍の閲覧の処理を開始すると（ステップＳ２２１）、制御部１１は記憶部１４の閲覧アプリプログラム１４２による閲覧アプリを起動する（ステップＳ２２２）。
【００５８】
次いで、ユーザが操作部１２により読みたい電子書籍を選択し、制御部１１はその電子書籍を開く（ステップＳ２２３）。そして、ユーザによる電子書籍の閲覧を開始する（ステップＳ２２４）。この状態では電子書籍の先頭ページが表示されている。
【００５９】
次いで、制御部１１は本話が最終話であるか否か判断する（ステップＳ２２５）。この判断は、図２もしくは図４のデータ構造の場合、画像管理テーブルの話番号に最終話フラグ「★」があるか否かで判断し、図３のデータ構造の場合、話データの話番号に最終話フラグがあるか否かで判断する。
【００６０】
ここで、本話が最終話である場合（ステップＳ２２５のＹＥＳ）、制御部１１は次のページに表示を進める（ステップＳ２２６）。
【００６１】
本話が最終話でない場合（ステップＳ２２５のＮＯ）、制御部１１は現在のページが本話の最終ページの一つ前のページであるか否か判断する（ステップＳ２２７）。この判断は、画像管理テーブル（図２〜図４）の現在のページ番号の次のページ番号を特定し、そのページ番号に最終ページフラグ「＃」が設定されているか否かで行う。
【００６２】
ここで、現在のページが本話の最終ページの一つ前のページでない場合（ステップＳ２２７のＮＯ）、制御部１１は次のページに表示を進める（ステップＳ２２６）。
【００６３】
現在のページが本話の最終ページの一つ前のページである場合（ステップＳ２２７のＹＥＳ）、制御部１１は本話の最終ページとその次のページの画像データを取得する（ステップＳ２２８）。すなわち、画像管理テーブル（図２〜図４）から最終ページに相当するページ番号の対応画像から画像データを取得するとともに、その１つ次のページ番号を特定し、その対応画像から画像データを取得する。
【００６４】
次いで、制御部１１は取得したページのいずれかが余分なページであるか否か判断する（ステップＳ２２９）。これは、例えば、そのページに描画があり、その描画がそのページの広範囲に渡るものであれば正規のページであり、そうでないものは余分なページとしてみなすなどの手法がある。
【００６５】
ここで、いずれも余分なページでない場合（ステップＳ２２９のＮＯ）、制御部１１は次のページに表示を進める（ステップＳ２２６）。
【００６６】
いずれかが余分なページである場合（ステップＳ２２９のＹＥＳ）、制御部１１は該当する余分なページを非表示に設定する（ステップＳ２３０）。これは、画像管理テーブル（図２〜図４）の該当するページ番号にスキップフラグを設定することで行う。
【００６７】
次いで、制御部１１は次のページに表示を進めるが（ステップＳ２２６）、そのページにスキップフラグが設定されている場合、その更に次のページまで表示を進める。これにより、余分なページが省略されて閲覧の連続性を担保することができる。これらの処理は閲覧が終了するまで繰り返される。
【００６８】
＜総括＞
以上説明したように、本発明の実施形態によれば、電子書籍の閲覧に際し、重複するページや余分なページ等の無駄な表示の閲覧をなくすことができ、話の流れを途切れさせずにシームレスな閲覧を行うことができる。
【００６９】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
（付記１）
話を単位とする連載ものの電子書籍を複数の話にわたって連続して閲覧する機能を有した表示装置であって、
電子書籍データから話の区切りを検出する手段と、
検出した区切りにおける前の話の最終ページもしくは最終コマの第１の画像を取得する手段と、
検出した区切りにおける後の話の第１ページもしくは第１コマの第２の画像を取得する手段と、
第１の画像と第２の画像の同一性を判断する手段と、
第１の画像と第２の画像に同一性があると判断された場合に、第１の画像もしくは第２の画像のいずれか一方を非表示に設定する手段と
を備えることを特徴とする表示装置。
（付記２）
話を単位とする連載ものの電子書籍を複数の話にわたって連続して閲覧する機能を有した表示装置であって、
電子書籍データから話の区切りを検出する手段と、
検出した区切りに存在するページの画像を取得する手段と、
取得した画像が話の流れとは関係のない余分なページであるか否か判断する手段と、
余分なページであると判断された場合に、当該画像を非表示に設定する手段と
を備えることを特徴とする表示装置。
（付記３）
付記１または２のいずれか一項に記載の表示装置において、
前記画像を非表示に設定する処理を、電子書籍の閲覧開始前に一括して行うことを特徴とする表示装置。
（付記４）
付記１または２のいずれか一項に記載の表示装置において、
前記画像を非表示に設定する処理を、電子書籍の閲覧時に、話の区切りに到達する時点で行うことを特徴とする表示装置。
（付記５）
話を単位とする連載ものの電子書籍を複数の話にわたって連続して閲覧する機能を有した表示装置の制御方法であって、
電子書籍データから話の区切りを検出する工程と、
検出した区切りにおける前の話の最終ページもしくは最終コマの第１の画像を取得する工程と、
検出した区切りにおける後の話の第１ページもしくは第１コマの第２の画像を取得する工程と、
第１の画像と第２の画像の同一性を判断する工程と、
第１の画像と第２の画像に同一性があると判断された場合に、第１の画像もしくは第２の画像のいずれか一方を非表示に設定する工程と
を備えることを特徴とする電子書籍閲覧制御方法。
（付記６）
話を単位とする連載ものの電子書籍を複数の話にわたって連続して閲覧する機能を有した表示装置の制御方法であって、
電子書籍データから話の区切りを検出する工程と、
検出した区切りに存在するページの画像を取得する工程と、
取得した画像が話の流れとは関係のない余分なページであるか否か判断する工程と、
余分なページであると判断された場合に、当該画像を非表示に設定する工程と
を備えることを特徴とする電子書籍閲覧制御方法。
（付記７）
付記５または６のいずれか一項に記載の電子書籍閲覧制御方法において、
前記画像を非表示に設定する処理を、電子書籍の閲覧開始前に一括して行うことを特徴とする電子書籍閲覧制御方法。
（付記８）
付記５または６のいずれか一項に記載の電子書籍閲覧制御方法において、
前記画像を非表示に設定する処理を、電子書籍の閲覧時に、話の区切りに到達する時点で行うことを特徴とする電子書籍閲覧制御方法。
（付記９）
話を単位とする連載ものの電子書籍を複数の話にわたって連続して閲覧する機能を有した表示装置の電子書籍閲覧制御プログラムであって、
表示装置を構成するコンピュータを、
電子書籍データから話の区切りを検出する手段、
検出した区切りにおける前の話の最終ページもしくは最終コマの第１の画像を取得する手段、
検出した区切りにおける後の話の第１ページもしくは第１コマの第２の画像を取得する手段、
第１の画像と第２の画像の同一性を判断する手段、
第１の画像と第２の画像に同一性があると判断された場合に、第１の画像もしくは第２の画像のいずれか一方を非表示に設定する手段
として機能させることを特徴とする電子書籍閲覧制御プログラム。
（付記１０）
話を単位とする連載ものの電子書籍を複数の話にわたって連続して閲覧する機能を有した表示装置の電子書籍閲覧制御プログラムであって、
表示装置を構成するコンピュータを、
電子書籍データから話の区切りを検出する手段、
検出した区切りに存在するページの画像を取得する手段、
取得した画像が話の流れとは関係のない余分なページであるか否か判断する手段、
余分なページであると判断された場合に、当該画像を非表示に設定する手段
として機能させることを特徴とする電子書籍閲覧制御プログラム。
（付記１１）
付記９または１０のいずれか一項に記載の電子書籍閲覧制御プログラムにおいて、
前記画像を非表示に設定する処理を、電子書籍の閲覧開始前に一括して行うことを特徴とする電子書籍閲覧制御プログラム。
（付記１２）
付記９または１０のいずれか一項に記載の電子書籍閲覧制御プログラムにおいて、
前記画像を非表示に設定する処理を、電子書籍の閲覧時に、話の区切りに到達する時点で行うことを特徴とする電子書籍閲覧制御プログラム。
【図面の簡単な説明】
【００７０】
【図１】本発明の一実施形態にかかる情報端末の構成例を示す図である。
【図２】記憶部に保持される電子書籍データの例を示す図（その１）である。
【図３】記憶部に保持される電子書籍データの例を示す図（その２）である。
【図４】記憶部に保持される電子書籍データの例を示す図（その３）である。
【図５】重複するページもしくはコマの非表示化の処理を閲覧前に一括して行う処理例を示すフローチャートである。
【図６】重複するページもしくはコマの非表示化の処理を閲覧途中に行う処理例を示すフローチャートである。
【図７】余分なページの非表示化の処理を閲覧前に一括して行う処理例を示すフローチャートである。
【図８】余分なページの非表示化の処理を閲覧途中に行う処理例を示すフローチャートである。
【符号の説明】
【００７１】
１        情報端末
１１      制御部
１２      操作部
１３      表示部
１４      記憶部
１４１    制御プログラム
１４２    閲覧アプリプログラム
１４３    比較アプリプログラム
１４４    電子書籍データ
１５      画像比較部
【図１】
0005262153.tif 000002
【図２】
0005262153.tif 000003
【図３】
0005262153.tif 000004
【図４】
0005262153.tif 000005
【図５】
0005262153.tif 000006
【図６】
0005262153.tif 000007
【図７】
0005262153.tif 000008
【図８】
0005262153.tif 000009